(57)【要約】【課題】組み付け時の作業性が向上した防水コネクタを提供する。【解決手段】相手側端子に電気的に接続され、基端部から相手側端子に向かう延在方向に延在する電気接触部２１と、電気接触部２１の基端部から屈曲部２２を介して延在方向との交差方向に延在し、電線１０の端末と接続された電線接続部２３とを有し、Ｌ字型に形成された端子２０と、電線１０の外周と密着した状態で電線１０を挿通する電線挿通孔３１ａを有するシール部材３０と、延在方向の相手側端子側に配設された第１シールカバー４０と、第１シールカバー４０との間にシール部材３０を挟んで配設され、シール部材３０を第１シールカバー４０と挟持する第２シールカバー５０と、シール部材３０と第１シールカバー４０と第２シールカバー５０とを内部に収容するコネクタハウジング６０とを備え、シール部材３０は、端子２０とシール部材３０との相対位置を位置決めする位置決め部３７を有する。【選択図】図１
2017004807.tif 000002
【特許請求の範囲】
【請求項１】
相手側端子に電気的に接続され、基端部から前記相手側端子に向かう延在方向に延在する電気接触部と、前記電気接触部の前記基端部から屈曲部を介して前記延在方向との交差方向に延在し、電線の端末と接続された電線接続部と、を有し、Ｌ字型に形成された端子と、
前記電線の外周と密着した状態で前記電線を挿通する電線挿通孔、を有するシール部材と、
前記シール部材に対して前記相手側端子側に配設された第１シールカバーと、
前記第１シールカバーとの間に前記シール部材を挟んで配設され、前記シール部材を前記第１シールカバーと挟持する第２シールカバーと、
前記端子と前記シール部材と前記第１シールカバーと前記第２シールカバーとを内部に収容する筐体と、
を備え、
前記シール部材は、前記端子と前記シール部材との相対位置を位置決めする位置決め部、を有する、
ことを特徴とする防水コネクタ。
【請求項２】
前記位置決め部は、前記端子を係止し、前記端子の前記交差方向の移動を規制する第１係止部と、前記端子を係止し、前記端子の前記電線接続部を軸とした回動を規制する第２係止部と、の少なくともいずれか一方を有する、
請求項１に記載の防水コネクタ。
【請求項３】
前記位置決め部は、前記第１係止部としての底壁部と、前記底壁部の対向する２辺から延在させた前記第２係止部としての一対の側壁部と、を有し、前記底壁部と前記側壁部とで前記電気接触部を係止する凹状に形成される、
請求項２に記載の防水コネクタ。
【請求項４】
前記シール部材は、前記電線挿通孔が配設された第１辺と、前記第１辺と接続され、前記電線接続部を挟んで前記交差方向に沿って配設された第２辺および第３辺と、前記第２辺と前記第３辺とを接続する第４辺と、を有する枠状に形成され、
前記シール部材は、前記第２辺と前記第３辺とを接続し、前記第２辺と前記第３辺とに対して前記延在方向に突設し、前記端子を保持する保持部、を有し、
前記位置決め部は、前記保持部に配設されている、
請求項１から３のいずれか１項に記載の防水コネクタ。
【発明の詳細な説明】
【技術分野】
【０００１】
本発明は、防水コネクタに関する。
【背景技術】
【０００２】
従来、Ｌ字型の端子を、コネクタハウジングと、シールドシェルと、第１シール部材と第２シール部材とで構成されるシール部材とで防水する、防水コネクタが知られている（例えば特許文献１参照）。具体的に、端子は、筐体の差し込み口を通される電気接触部と、電線の端末に接続される電線接続部と、を有する。コネクタハウジングは、電線接続部を収容する電線接続部収容部と、電気接触部を収容する電気接触部収容部と、を有する。第１シール部材は、電線接続部収容部の壁部に密着し、第２シール部材は、第１シール部材との間に電線接続部を密閉する。このような従来の防水コネクタは、コネクタハウジングがシールドシェルで覆われて挟持されることにより、第１シール部材と第２シール部材とで電線接続部が密閉されるものである。
【先行技術文献】
【特許文献】
【０００３】
【特許文献１】特開２０１０−２７２４０４号公報
【発明の概要】
【発明が解決しようとする課題】
【０００４】
ところで、従来の端子は、第１シール部材と第２シール部材とで挟持する前までは、電線接続部の軸方向に移動自在で、電線接続部を軸として回動自在である。このため、第１シール部材と第２シール部材とで挟持された端子をコネクタハウジングに組み付ける際に、電線接続部の軸方向に電気接触部を位置調整し、電線接続部を軸とした電気接触部の向きを調整しなければならない場合がある。すなわち、組み付け時の端子の位置調整に、手間と時間とを要する場合がある。このように、従来手法では、防水コネクタの組み付け時の作業性に関してさらなる改善の余地がある。
【０００５】
本発明は、上記に鑑みてなされたものであって、組み付け時の作業性が向上した防水コネクタを提供することを目的とする。
【課題を解決するための手段】
【０００６】
上記課題を解決するため、本発明に係る防水コネクタは、端子と、シール部材と、第１シールカバーと、第２シールカバーと、筐体と、を備える。端子は、相手側端子に電気的に接続され、基端部から前記相手側端子に向かう延在方向に延在する電気接触部と、前記電気接触部の前記基端部から屈曲部を介して前記延在方向との交差方向に延在し、電線の端末と接続された電線接続部と、を有し、Ｌ字型に形成されている。シール部材は、前記電線の外周と密着した状態で前記電線を挿通する電線挿通孔、を有する。第１シールカバーは、前記シール部材に対して前記相手側端子側に配設されている。第２シールカバーは、前記第１シールカバーとの間に前記シール部材を挟んで配設され、前記シール部材を前記第１シールカバーと挟持する。筐体は、前記端子と前記シール部材と前記第１シールカバーと前記第２シールカバーとを内部に収容する。前記シール部材は、前記端子と前記シール部材との相対位置を位置決めする位置決め部、を有する、ことを特徴とする。
【０００７】
また、上記の防水コネクタにおいて、前記位置決め部は、前記端子を係止し、前記端子の前記交差方向の移動を規制する第１係止部と、前記端子を係止し、前記端子の前記電線接続部を軸とした回動を規制する第２係止部と、の少なくともいずれか一方を有する、ことが好ましい。
【０００８】
また、上記の防水コネクタにおいて、前記位置決め部は、前記第１係止部としての底壁部と、前記底壁部の対向する２辺から延在させた前記第２係止部としての一対の側壁部と、を有し、前記底壁部と前記側壁部とで前記電気接触部を係止する凹状に形成される、ことが好ましい。
【０００９】
また、上記の防水コネクタにおいて、前記シール部材は、前記電線挿通孔が配設された第１辺と、前記第１辺と接続され、前記電線接続部を挟んで前記交差方向に沿って配設された第２辺および第３辺と、前記第２辺と前記第３辺とを接続する第４辺と、を有する枠状に形成され、前記シール部材は、前記第２辺と前記第３辺とを接続し、前記第２辺と前記第３辺とに対して前記延在方向に突設し、前記端子を保持する保持部、を有し、前記位置決め部は、前記保持部に配設されている、ことが好ましい。
【発明の効果】
【００１０】
本発明に係る防水コネクタは、シール部材が、端子とシール部材との相対位置を位置決めする位置決め部、を有する。これにより、防水コネクタは、シール部材に組み付けられた端子をコネクタハウジングに組み付ける際に、端子が位置決めされている。このため、防水コネクタの組み付け時の作業性が向上する、という効果を奏する。
【図面の簡単な説明】
【００１１】
【図１】図１は、本発明の実施形態１に係る防水コネクタを構成部材に分解して示す斜視図である。
【図２】図２は、図１に示す構成部材を組み付けた状態を示す防水コネクタの全体斜視図である。
【図３】図３は、シール部材を示す斜視図である。
【図４】図４は、図３に示すシール部材を拡大して示す図である。
【図５】図５は、端子を位置決め部に係止した状態を拡大して示す図である。
【図６】図６は、シール部材と第１シールカバー，第２シールカバーとの合わせ面の拡大図である。
【図７】図７は、シール部材を電線および端子に取り付けた状態を示す図である。
【図８】図８は、第１シールカバーを示す斜視図である。
【図９】図９は、第１シールカバーを示す斜視図であって、前後方向後方から視た図である。
【図１０】図１０は、第２シールカバーを示す斜視図である。
【図１１】図１１は、本発明の実施形態２に係る防水コネクタを構成部材に分解して示す斜視図である。
【図１２】図１２は、図１１に示す構成部材を組み付けた状態を示す防水コネクタの全体斜視図である。
【図１３】図１３は、シール部材を示す斜視図である。
【発明を実施するための形態】
【００１２】
以下に、本発明に係る防水コネクタ端末の実施形態を図面に基づいて説明する。なお、以下の図面において、同一または相当する部分には同一の参照番号を付し、その説明は繰り返さない。
【００１３】
［実施形態１］
図１および図２には、本発明の一実施形態に係る防水コネクタの全体構成を示している。図１は、防水コネクタを構成部材に分解して示す斜視図である。図２は、図１に示す構成部材を組み付けた状態を示す防水コネクタの全体斜視図である。図３は、シール部材を示す斜視図である。図４は、図３に示すシール部材を拡大して示す図である。図５は、端子を位置決め部に係止した状態を拡大して示す図である。図６は、シール部材と第１シールカバー，第２シールカバーとの合わせ面の拡大図である。図７は、シール部材を電線および端子に取り付けた状態を示す図である。図８は、第１シールカバーを示す斜視図である。図９は、第１シールカバーを示す斜視図であって、前後方向後方から視た図である。図１０は、第２シールカバーを示す斜視図である。以下の説明においては、図１に示す矢印Ｘ方向を左右方向、矢印Ｙ方向を前後方向、矢印Ｚ方向を上下方向という。なお、前後方向については、図１における矢印Ｙ１方向を前側（前方）、矢印Ｙ２方向を後側（後方）として特定する。ただし、これらの左右方向、前後方向、上下方向は、実際に防水コネクタが相手側機器と接続された状態における各方向と必ずしも一致していなくともよい。本実施形態では、相手側機器は、自動車などの車両に搭載されている。
【００１４】
防水コネクタ１は、相手側機器の筐体に配設された差し込み口（図示省略、雌端子、相手側端子）に差し込まれて、筐体内に配設された電気回路と電気的に接続されるものである。防水コネクタ１は、図１，図２に示すように、主として、電線１０と、端子２０と、シール部材３０と、第１シールカバー４０と、第２シールカバー５０と、コネクタハウジング６０と、第１シールドシェル７０と、第２シールドシェル８０と、を備える。コネクタハウジング６０と第１シールドシェル７０と第２シールドシェル８０とは、筐体９０を構成する。防水コネクタ１は、２本の電線１０の端末に接続された端子２０が組み付けられたシール部材３０が第１シールカバー４０と第２シールカバー５０との間に挟まれ、その外側を筐体９０で挟持することで端子２０が密閉されて、防水性を得るものである。なお、本実施形態では、一例として、２本の電線１０の端末にそれぞれ取り付けられた２つの端子２０を備えた防水コネクタ１の構成を示す。防水コネクタ１における端子２０の数はこれに限定されるものではなく、例えば、防水コネクタ１は、１つの端子２０のみを備えた構成でも、３つ以上の端子２０を備える構成でもよい。
【００１５】
電線１０は、端末部においてシースが皮剥ぎされて芯線が露出されている。
【００１６】
端子２０は、導電性を有する金属材で構成された雄端子であり、図１に示すように、相手側端子に電気的に接続され、基端部から相手側端子に向かう延在方向に延在する電気接触部２１と、電気接触部２１の基端部から屈曲部２２を介して延在方向との交差方向に延在し、電線１０の端末と接続された電線接続部２３（図５参照）と、を有するＬ字型に形成されたものである。本実施形態の端子２０は、一例として、電気接触部２１と電線接続部２３とが直交しているものとする。また、Ｌ字型とは、くの字型も含むものとする。すなわち、電気接触部２１と電線接続部２３との角度は直角には限定されず、鋭角から鈍角までを含む。電気接触部２１は、平板で構成されている。電線接続部２３は、電線１０の端末と加締められて圧着され、電気的に接続されている。本実施形態では、一例として、端子２０は、延在方向を前後方向と一致させ、交差方向を上下方向と一致させて配置した状態について説明する。また、防水コネクタ１の各構成部材における各方向は、上記の方向に配置した端子２０に各構成部材を組み付けたものとして説明する。
【００１７】
シール部材３０は、弾性を有する合成樹脂材料で構成されている。シール部材３０は、図３に示すように、２つの円筒状の筒部３１と、筒部３１の内方が軸方向に貫通して形成され、それぞれの電線１０の外周と密着した状態で電線１０を挿通する２つの電線挿通孔３１ａ、を有する。シール部材３０は、筒部３１が間隔を空けて配設された第１辺３２と、第１辺３２の両端部を基端部とし、電線接続部２３に沿って配設された第２辺３３と第３辺３４と、第１辺３２と平行に配設され、第２辺３３と第３辺３４の先端部を接続する第４辺３５と、を有する枠状に形成されている。さらに、図４，図５に示すように、シール部材３０は、保持部３６と、位置決め部３７と、を有する。電線挿通孔３１ａは、筒部３１の中空部であり、電線１０の外径よりもわずかに小さい直径を有する。２つの筒部３１は、第１辺３２の両端部で、かつ、この両端部における前記基端部よりも内側にそれぞれ配設されている。図６に示すように、筒部３１と第１辺３２との接続部３１ｂは、滑らかな曲面状である。第１辺３２は、左右方向に延在し、２つの端子２０の電線接続部２３間の距離よりも大きい長さに設定されている。第２辺３３と第３辺３４とは、第１辺３２の両端部を基端部として上下方向に延在している。第２辺３３と第３辺３４は、端子２０の電線接続部２３の軸方向の長さよりも大きい長さに設定されている。また、第２辺３３と第３辺３４は、上側が左右方向における外方に延設された段差３３ａ，３４ａを有する。これにより、シール部材３０は、上側が左右方向に拡大した形状となっている。第４辺３５は、第２辺３３と第３辺３４の上端部を接続し、左右方向に延在している。第４辺３５は、２つの端子２０の電線接続部２３間の距離よりも大きい長さに設定されている。
【００１８】
このようなシール部材３０を、図７に示すように、端子２０に組み付けた状態について説明する。第１辺３２は、端子２０の電線接続部２３の下方に位置する。第２辺３３は、電線接続部２３の左右方向における一方の外方（図７における左方）に位置する。第３辺３４は、電線接続部２３の左右方向における他方の外方（図７における右方）に位置する。第４辺３５は、端子２０の電線接続部２３の上方に位置する。具体的には、電線接続部２３の上方で、かつ、屈曲部２２の上方に第４辺３５を配置する。すなわち、シール部材３０は、２つの電線接続部２３の外周を囲うように配設されている。
【００１９】
保持部３６は、端子２０の電気接触部２１または屈曲部２２を保持するものである。本実施形態では、保持部３６は、端子２０の電気接触部２１の基端部を保持する。保持部３６は、図３，図４に示すように、第２辺３３と第３辺３４とをそれぞれ上側において接続させたコの字状で、かつ、バンド状の部位であり、第２辺３３と第３辺３４とに対して前方に突設させている。保持部３６には、位置決め部３７が配設されている。
【００２０】
位置決め部３７は、端子２０とシール部材３０との相対位置を位置決めして、端子２０のシール部材３０に対する姿勢を保持するものである。位置決め部３７は、端子２０を係止し、端子２０の交差方向（電線接続部２３の延在方向に沿う方向）の移動を規制する第１係止部３７ａと、端子２０を係止し、端子２０の電線接続部２３を軸とした回動を規制する第２係止部３７ｂと、の内の少なくともいずれか一方を有するものである。本実施形態において、位置決め部３７は、第１係止部３７ａと第２係止部３７ｂのいずれも備えるものとする。位置決め部３７は、保持部３６を上側から電気接触部２１と嵌合する凹状に切り欠いて形成される。位置決め部３７においては、その凹状部分の底壁部を第１係止部３７ａとして利用し、その凹状部分の一対の側壁部を第２係止部３７ｂとして利用する。以下においては、その底壁部を「底壁部３７ａ」といい、その側壁部を「側壁部３７ｂ」という。このような位置決め部３７においては、図５に示すように、底壁部３７ａが電気接触部２１の下面２１ｂと当接することで電気接触部２１が係止される。すなわち、端子２０の交差方向の移動が規制される。また、位置決め部３７においては、側壁部３７ｂが電気接触部２１の左右方向の端面（側面）２１ａと当接することで電気接触部２１が係止される。すなわち、端子２０の電線接続部２３を軸とした回動が規制される。このように、シール部材３０に取り付けられて、位置決め部３７によって位置決めされた２つの端子２０は、平行に配設された状態でシール部材３０に対する姿勢が保持される。
【００２１】
第１シールカバー４０は、図１に示すように、シール部材３０に対して相手側端子側、すなわち、シール部材３０の前方に配設されているものである。第１シールカバー４０は、図８，図９に示すように、壁部４１と、壁部４１の外縁部から同一方向に垂直に延在する複数の側壁部４２と、シール部材３０の前側の端面３０ａと全面において当接する第１合わせ面４２ａと、を備えており、壁部４１と対向する面が開口している。また、第１シールカバー４０は、第１電気接触部挿通孔４３と、第１シールカバー４０内の空間を区画する区画壁４４と、第１区画室４５と、シール部材３０の筒部３１の外周の一部と嵌合する第１嵌合溝４６と、を有する。このような第１シールカバー４０は、合成樹脂材料で構成されている。
【００２２】
壁部４１は、平板で構成されている。側壁部４２は、平板で構成され、前後方向の長さ（奥行）が等しく設定されている。第１合わせ面４２ａは、シール部材３０の前側の端面３０ａと当接する面であり、側壁部４２の後側の端面と第１嵌合溝４６の周面とを含む。第１電気接触部挿通孔４３は、壁部４１の上側に、左右方向に並列に２つ形成され、電気接触部２１を挿通する。区画壁４４は、上側の側壁部４２の中央部と下側の側壁部４２の中央部とを接続し、上下方向に延在する。この区画壁４４によって第１シールカバー４０内は区画され、２つの第１区画室４５が形成されている。２つの第１区画室４５は、２つの電線接続部２３をそれぞれ覆うものである。第１嵌合溝４６は、下側の側壁部４２に上下方向を軸方向とした半円柱状に形成されている。
【００２３】
第２シールカバー５０は、図１に示すように、第１シールカバー４０との間にシール部材３０を挟んで配設され、シール部材３０を第１シールカバー４０と挟持するものである。第２シールカバー５０は、図１０に示すように、壁部５１と、壁部５１の外縁部から同一方向に垂直に延在する複数の側壁部５２と、シール部材３０の後側の端面３０ｂと全面において当接する第２合わせ面５２ａと、を備えており、壁部５１と対向する面が開口している。また、第２シールカバー５０は、第２シールカバー５０内の空間を区画する区画壁５４と、第２区画室５５と、シール部材３０の筒部３１の外周の一部と嵌合する第２嵌合溝５６と、を有する。このような第２シールカバー５０は、合成樹脂材料で構成されている。
【００２４】
壁部５１は、平板で構成されている。側壁部５２は、平板で構成され、奥行が等しく設定されている。第２合わせ面５２ａは、シール部材３０の後側の端面３０ｂと当接する面であり、側壁部５２の前側の端面と第２嵌合溝５６の周面とを含む。区画壁５４は、上側の側壁部５２の中央部と下側の側壁部５２の中央部とを接続し、上下方向に延在する。この区画壁５４によって第２シールカバー５０内は区画され、２つの第２区画室５５が形成されている。２つの第２区画室５５は、２つの電線接続部２３をそれぞれ覆うものである。この第２区画室５５は、第１シールカバー４０と第２シールカバー５０との間にシール部材３０を挟んだ状態で、第１区画室４５とともに電線接続部２３を収容する電線接続部収容室を構成する。第２嵌合溝５６は、下側の側壁部５２に上下方向を軸方向とした半円柱状に形成されている。この第２嵌合溝５６は、第１シールカバー４０と第２シールカバー５０との間にシール部材３０を挟んだ状態で、第１嵌合溝４６とともにシール部材３０の筒部３１の外周と嵌合する。
【００２５】
筐体９０は、図１に示すように、端子２０とシール部材３０と第１シールカバー４０と第２シールカバー５０とを内部に収容するものである。筐体９０は、コネクタハウジング６０と、第１シールドシェル７０と、第１シールドシェル７０との間に挟んだコネクタハウジング６０を第１シールドシェル７０と挟持する第２シールドシェル８０と、を有する。
【００２６】
コネクタハウジング６０は、第１シールカバー４０に対して相手側端子側、すなわち、第１シールカバー４０の前方に配設され、端子２０とシール部材３０と第１シールカバー４０と第２シールカバー５０とを内部に収容するものである。コネクタハウジング６０は、主として、略円柱状をなす主体部分に設けた第１収容部６１と、第１収容部６１の後方に突設され、下側が当該突設部分から第１収容部６１よりも下方に突設された第２収容部６５と、を有する。
【００２７】
第１収容部６１は、２つの突設部６２と、突設部６２を略円柱状の主体部分とともに貫通して形成され、電気接触部２１を挿通する第２電気接触部挿通孔６２ａと、を有する。突設部６２は、その主体部分から前方に突設し、略箱形状に形成されている。２つの突設部６２は、左右方向に並列に配設されている。略円柱状の主体部分の前側の外周には、環状シール部材（図示省略）を嵌合させる環状嵌合溝６３が形成されている。環状シール部材は、差し込み口を有する相手側機器に防水コネクタ１を差し込んで嵌合させた際に、コネクタハウジング６０側から相手側機器への水や塵埃などの浸入を抑制するものである。
【００２８】
第２収容部６５は、端子２０とシール部材３０と第１シールカバー４０と第２シールカバー５０とを内部に収容する。第２収容部６５は、後側および下側が開口している。第２収容部６５の下側の開口からは、電線１０が外部に引き出される。第２収容部６５の内壁部は、第１シールカバー４０の壁部４１と当接する。
【００２９】
第１シールドシェル７０は、コネクタハウジング６０を後方から覆って嵌合するものである。第１シールドシェル７０は、コネクタハウジング６０を収容する第３収容部７１と、電線１０を覆うための第１電線用溝７２と、ボルト孔７３と、を有する。
【００３０】
第３収容部７１は、コネクタハウジング６０の第２収容部６５の後側の開口を閉塞する。第３収容部７１は、第１嵌合部７１ａと、第２嵌合部７１ｂと、鍔部７１ｃと、を有する。第１嵌合部７１ａは、コネクタハウジング６０の第１収容部６１を収容して嵌合する形状に形成されている。第２嵌合部７１ｂは、第１嵌合部７１ａの内側に配設され、第１嵌合部７１ａから後方に突設されている。第２嵌合部７１ｂは、第２収容部６５を収容して嵌合する形状に、第１嵌合部７１ａと一体に形成されている。この第１嵌合部７１ａと第２嵌合部７１ｂとによりコネクタハウジング６０が収容して嵌合される。また、第２嵌合部７１ｂの内壁部は、第２シールカバー５０の壁部５１と当接する。鍔部７１ｃは、第１嵌合部７１ａの外縁部から鍔状に広がり、第１嵌合部７１ａと一体に形成されている。
【００３１】
第１電線用溝７２は、電線１０の径よりも大径に設定され、上下方向を軸方向とした半円柱状に形成されている。第１電線用溝７２は、第１シールドシェル７０と第２シールドシェル８０とが締結された際に、後述する第２電線用溝８１とともに電線１０を覆う。ボルト孔７３は、第１シールドシェル７０と第２シールドシェル８０とを締結するためのボルトを挿通するものである。ボルト孔７３は、第３収容部７１の下方で、第１電線用溝７２の上方に左右方向に並列に３つ配設されている。ボルト孔７３は、雌ネジが形成されており、第１シールドシェル７０と第２シールドシェル８０とを締結するためのボルトが螺合する。
【００３２】
第２シールドシェル８０は、コネクタハウジング６０の第２収容部６５の下端部を相手側端子側から覆い、かつ、その下端部を第１シールドシェル７０との間に挟んで第１シールドシェル７０と締結されるものである。第２シールドシェル８０は、第２電線用溝８１と、ボルト孔８２と、を有する。第２電線用溝８１は、電線１０を覆うためのものである。第２電線用溝８１は、電線１０の径よりも大径に設定され、上下方向を軸方向とした半円柱状に形成されている。ボルト孔８２は、第２電線用溝８１の上方に左右方向に並列に３つ配設されている。
【００３３】
ここで、本実施形態に係る防水コネクタ１の組み付け工程について説明する。
【００３４】
まず、電線１０の端末は、シール部材３０の電線挿通孔３１ａに挿通される。そして、この防水コネクタ１においては、端子２０の電線接続部２３をシール部材３０における第４辺３５と保持部３６との間に挿通して、この電線接続部２３の圧着部位に電線１０の端末が挿入される。その後、この防水コネクタ１においては、その圧着部位と電線１０の端末とが加締められて圧着される。その状態では、第１辺３２は、電線接続部２３の下方に配置され、第２辺３３は、電線接続部２３の左右方向の一方の外方（図７における左方）に配置され、第３辺３４は、電線接続部２３の左右方向の他方の外方（図７における右方）に配置され、第４辺３５は、電線接続部２３の上方に配置される。具体的には、電線接続部２３の上方で、かつ、屈曲部２２の上方に第４辺３５が配置される。すなわち、シール部材３０は、図７に示すように、２つの電線接続部２３の外周を囲って配設されている。
【００３５】
このとき、電気接触部２１は、位置決め部３７によって係止される。具体的に、底壁部３７ａが電気接触部２１の下面２１ｂと当接することで電気接触部２１が係止される。すなわち、端子２０の交差方向の移動が規制される。また、位置決め部３７は、側壁部３７ｂが電気接触部２１の側面２１ａと当接することで電気接触部２１が係止される。すなわち、端子２０の電線接続部２３を軸とした回動が規制される。これにより、シール部材３０に取り付けられて、位置決め部３７によって位置決めされた２つの端子２０は、平行に配設された姿勢が保持される。
【００３６】
そして、第１シールカバー４０の開口が端子２０と対向した状態で、端子２０の電気接触部２１は、第１電気接触部挿通孔４３に後方から挿通される。このとき、端子２０は、その交差方向（電線接続部２３の延在方向に沿う方向）の位置と、電線接続部２３を軸とした電機接触部２１の向きと、が位置決め部３７によってシール部材３０に対して位置決めされ、その姿勢が保持されている。このため、この端子２０は、第１シールカバー４０に組み付ける際に、第１電気接触部挿通孔４３に対する電機接触部２１の位置を調整する必要がなくなる。したがって、端子２０を第１シールカバー４０に組み付ける際は、シール部材３０を把持して組み付ければよい。その組み付けの後、第２シールカバー５０の開口をシール部材３０と対向させた状態で、シール部材３０に後方から第２シールカバー５０が当接される。具体的には、シール部材３０の端面３０ｂと第２シールカバー５０の第２合わせ面５２ａとが当接される。このように、シール部材３０は、第１シールカバー４０と第２シールカバー５０との間に挟まれる。
【００３７】
そして、これらの端子２０などの集合体（組み付け体）は、コネクタハウジング６０に後方から収容されて嵌合される。具体的には、電気接触部２１が第１収容部６１の第２電気接触部挿通孔６２ａに挿通されて、第２収容部６５の内部に端子２０とシール部材３０と第１シールカバー４０と第２シールカバー５０とが収容される。これにより、コネクタハウジング６０の内部に端子２０とシール部材３０と第１シールカバー４０と第２シールカバー５０とが収容される。
【００３８】
そして、端子２０とシール部材３０と第１シールカバー４０と第２シールカバー５０を収容したコネクタハウジング６０は、第１シールドシェル７０の第３収容部７１に収容されて嵌合される。そして、コネクタハウジング６０の第２収容部６５の下側を第２シールドシェル８０の上側が覆うように、第２シールドシェル８０は配置される。このとき、第１シールドシェル７０のボルト孔７３と第２シールドシェル８０のボルト孔８２とは、同軸上に配置される。そして、第１シールドシェル７０と第２シールドシェル８０とは、ボルトで締結される。
【００３９】
このようにして、防水コネクタ１の組み付け時において、２つの端子２０は、位置決め部３７によってシール部材３０との相対位置が位置決めされて姿勢が保持される。これにより、端子２０の電線接続部２３を軸とした回動が規制され、かつ、端子２０の交差方向の移動が規制された状態で、防水コネクタ１を組み付けることができる。
【００４０】
このように本実施形態によれば、位置決め部３７によって、端子２０とシール部材３０との相対位置を位置決めすることができる。これにより、防水コネクタ１の組み付け時に、電線接続部２３の軸方向に電気接触部２１を位置調整したり、電線接続部２３を軸とした電気接触部２１の向きを調整したりする必要がなくなる。すなわち、防水コネクタ１の組み付け時には、第１電気接触部挿通孔４３に対する端子２０の電気接触部２１の位置調整に要する手間と時間とを削減できる。このため、防水コネクタ１の組み付け時の作業性が向上する。
【００４１】
また、位置決め部３７は、第１係止部３７ａとしての底壁部３７ａと、底壁部３７ａの対向する２辺から延在させた第２係止部３７ｂとしての一対の側壁部３７ｂと、を有する凹状に形成される。これにより、防水コネクタ１の組み付け時に、端子２０の交差方向の移動と、端子２０の電線接続部２３を軸とした回動とを、いずれも位置決め部３７で規制することができる。すなわち、端子２０の電気接触部２１を位置決め部３７に嵌合させるだけで防水コネクタ１の組み付け時の端子２０の位置調整に要する手間と時間とを削減できる。このため、防水コネクタ１の組み付け時の作業性がより向上する。しかも、防水コネクタ１は、保持部３６を上側から電気接触部２１と嵌合する凹状に切り欠いて形成すればよいので、簡易に構成することができる。
【００４２】
また、保持部３６は、枠状のシール部材３０の第２辺３３と第３辺３４とをそれぞれ上側において接続させたコの字状で、かつ、バンド状の部位であり、第２辺３３と第３辺３４とに対して前方に突設させている。このような保持部３６で端子２０の屈曲部２２が保持されることで、より確実に端子２０をシール部材３０に対して位置決めすることができる。すなわち、防水コネクタ１の組み付け時の端子２０の位置調整に要する手間と時間とを削減できる。このため、防水コネクタ１の組み付け時の作業性がより向上する。
【００４３】
また、位置決め部３７は、端子２０の交差方向の移動を規制する第１係止部３７ａと、端子２０の電線接続部２３を軸とした回動を規制する第２係止部３７ｂと、の少なくともいずれか一方を有していればよい。このため、防水コネクタ１や端子２０，シール部材３０の大きさ、形状に合わせて、第１係止部３７ａと第２係止部３７ｂのいずれか一方のみを配設するか、または、いずれも配設するかを設定することができる。例えば、第１係止部３７ａのみを配設して端子２０の交差方向の移動を規制する場合は、端子２０の電線接続部２３を軸とした回動を治具によって規制すればよい。また、第２係止部３７ｂのみを配設して端子２０の電線接続部２３を軸とした回動を規制する場合は、端子２０の交差方向の移動を治具によって規制すればよい。このようにして、第１係止部３７ａと第２係止部３７ｂのいずれか一方のみを配設した場合であっても、防水コネクタ１の組み付け時に、電線接続部２３の軸方向に電気接触部２１を位置調整したり、電線接続部２３を軸とした電気接触部２１の向きを調整したりする必要がなくなる。すなわち、防水コネクタ１の組み付け時には、第１電気接触部挿通孔４３に対する端子２０の電気接触部２１の位置調整に要する手間と時間とを削減できる。
【００４４】
［実施形態２］
図１１から図１３を参照して、実施形態２について説明する。実施形態２に係る防水コネクタ１Ａは、同軸ケーブル１５に組み付けるように構成されている点で、実施形態１と異なる。図１１は、防水コネクタを構成部材に分解して示す斜視図である。図１２は、図１１に示す構成部材を組み付けた状態を示す防水コネクタの全体斜視図である。図１３は、シール部材を示す斜視図である。
【００４５】
電線１５は、図１１，図１２に示すように、同軸ケーブルであり、端末においてシースが皮剥ぎされて芯線が露出されて、分岐部１５ａにおいて２本に分岐している。分岐された各芯線と各端子２０の電線接続部２３とが圧着されている。
【００４６】
シール部材１８０は、図１３に示すように、電線挿通孔１８０ａを有する円筒状の筒部１８１が左右方向一端部に配設された第１辺１８２と、第１辺１８２の両端部を基端部として配設された第２辺１８３と第３辺１８４と、第１辺１８２と平行に配設され、第２辺１８３と第３辺１８４の先端部を接続する第４辺１８５と、を有する枠状に形成されている。さらに、シール部材１８０は、実施形態１の保持部３６や位置決め部３７とそれぞれ同様に構成された、保持部１８６と、位置決め部１８７と、を有する。このようなシール部材１８０は、第１辺１８２の左右方向の一端部に電線挿通孔１８１ａが配設されている点を除いて実施形態１のシール部材３０と同様に構成されている。
【００４７】
第１シールカバー１９０は、壁部１９１と、壁部１９１の外縁部から同一方向に垂直に延在する複数の側壁部１９２と、シール部材１８０の前側の端面１８０ａと全面において当接する第１合わせ面１９２ａと、を備えており、壁部１９１と対向する面が開口している。また、第１シールカバー１９０は、第１電気接触部挿通孔１９３と、シール部材１８０の筒部１８１の外周の一部と嵌合する１つの第１嵌合溝（図示省略）と、を有する。このような第１シールカバー１９０は、下側の側壁部１９２に第１嵌合溝が１つ形成されている点を除いて実施形態１の第１シールカバー４０と同様に構成されている。
【００４８】
第２シールカバー２００は、壁部２０１と、壁部２０１の外縁部から同一方向に垂直に延在する複数の側壁部２０２と、シール部材１８０の後側の端面１８０ｂと全面において当接する第２合わせ面２０２ａと、を備えており、壁部２０１と対向する面が開口している。第２シールカバー２００の下側の側壁部２０２には、筒部１８１の外周の一部と嵌合する第２嵌合溝２０６が１つ形成されている。このような第２シールカバー２００は、下側の側壁部２０２に第２嵌合溝２０６が１つ形成されている点を除いて実施形態１の第２シールカバー５０と同様に構成されている。
【００４９】
筐体２４０を構成するコネクタハウジング２１０は、コネクタハウジング６０と同様に構成され、第１収容部２１１と、第１収容部２１１の後方に突設され、下側が当該突設部分から第１収容部２１１よりも下方に突設された第２収容部２１５と、を有する。第１収容部２１１は、２つの突設部２１２と、突設部２１２を略円柱状の主体部分とともに貫通して形成され、電気接触部２１を挿通する第２電気接触部挿通孔２１２ａと、を有する。略円柱状の主体部分の前側の外周には、環状シール部材（図示省略）を嵌合させる環状嵌合溝２１３が形成されている。
【００５０】
筐体２４０を構成する第１シールドシェル２２０は、コネクタハウジング２１０を収容する第３収容部２２１と、電線１５を覆うための１つの第１電線用溝２２２と、２つのボルト孔２２３と、を有する。第３収容部２２１は、第１嵌合部２２１ａと、第２嵌合部２２１ｂと、鍔部２２ｃと、を有する。このような第１シールドシェル２２０は、１つの第１電線用溝２２２と２つのボルト孔２２３とを有する点を除いて実施形態１の第１シールドシェル７０と同様に構成されている。
【００５１】
筐体２４０を構成する第２シールドシェル２３０は、１つの第２電線用溝２３１と、２つのボルト孔２３と、を有する。第２電線用溝２３１は、第１シールドシェル２２０と第２シールドシェル２３０とが締結された際に、第１電線用溝２２２とともに電線１５の外周を覆う。このような第２シールドシェル２３０は、１つの第２電線用溝２３１と２つのボルト孔２３２とを有する点を除いて実施形態１の第２シールドシェル８０と同様に構成されている。
【００５２】
ここで、本実施形態に係る防水コネクタ１Ａの組み付け工程について説明する。
【００５３】
まず、電線１５の端末は、シール部材１８０の電線挿通孔１８１ａに挿通される。そして、この防水コネクタ１Ａにおいては、端子２０の電線接続部２３をシール部材１８０における第４辺１８５と保持部１８６との間に挿通して、この電線接続部２３の圧着部位に分岐された電線１５の端末がそれぞれ挿入される。その後、この防水コネクタ１Ａにおいては、その圧着部位と電線１５の端末とが加締められて圧着される。その状態では、シール部材１８０は、２つの電線接続部２３の外周を囲って配設されている。
【００５４】
このとき、電気接触部２１は、位置決め部１８７によって係止される。具体的に、底壁部１８７ａが電気接触部２１の下面２１ｂと当接することで電気接触部２１が係止される。すなわち、端子２０の交差方向の移動が規制される。また、位置決め部１８７は、側壁部１８７ｂが電気接触部２１の側面２１ａと当接することで電気接触部２１が係止される。すなわち、端子２０の電線接続部２３を軸とした回動が規制される。これにより、シール部材１８０に取り付けられて、位置決め部１８７によって位置決めされた２つの端子２０は、平行に配設された姿勢が保持される。
【００５５】
その後、実施形態１と同様にして、防水コネクタ１Ａの第１シールカバー１９０や第２シールカバー２００を含むすべての構成部材が組み付けられる。
【００５６】
このようにして、防水コネクタ１Ａの組み付け時において、２つの端子２０は、位置決め部１８７によってシール部材１８０との相対位置が位置決めされて姿勢が保持される。これにより、端子２０の電線接続部２３を軸とした回動が規制され、かつ、端子２０の交差方向の移動が規制された状態で、防水コネクタ１Ａを組み付けることができる。
【００５７】
本実施形態によれば、同軸ケーブルの電線１５の端末と接続されている端子２０の電線接続部２３であっても、実施形態１と同様に、防水コネクタ１Ａの組み付け時には、第１電気接触部挿通孔１９３に対する端子２０の電気接触部２１の位置調整に要する手間と時間とを削減できる。このため、防水コネクタ１Ａの組み付け時の作業性が向上する。
【００５８】
以上、本発明を図１〜図１３に示すような実施形態に基づいて説明したが、上述した実施形態は本発明の例示に過ぎないものであり、本発明は、上述した実施形態の構成のみに限定されるものではない。したがって、本発明の要旨の範囲で変形又は変更された形態で本発明を実施可能であることは、当業者にあっては明白なことであり、そのような変形又は変更された形態が本願の特許請求の範囲に属することは当然のことである。
【００５９】
上記実施形態において、２つの端子２０を備える場合について説明したが、端子２０の数はこれに限定されるものではない。例えば、１つの端子２０のみを備える構成としてもよいし、３つ以上の端子２０を備える構成であってもよい。その場合は、端子２０の数に合わせて、第１電気接触部挿通孔や第２電気接触部挿通孔の数を設定すればよい。
【００６０】
上記実施形態において、位置決め部３７は、保持部３６を上側から電気接触部２１と嵌合する凹状に切り欠いて形成されるものとして説明したが、この構成に限定されない。具体的に、保持部３６の上面に電気接触部２１における１対の側面２１ａとそれぞれ当接する１対の凸部を２組配設する。この場合、保持部３６の上面が電気接触部２１の下面２１ｂと当接することで端子２０の交差方向の移動が規制される。また、保持部３６の上面に配設された凸部が電気接触部２１の側面２１ａと当接することで端子２０の電線接続部２３を軸とした回動が規制される。また、位置決め部を第１係止部のみを配設するものとする場合、位置決め部は、シール部材３０の第２辺３３と第３辺３４の上側からそれぞれ前方に突設し、その先端部から左右方向における内方に延在させた構成とする。この位置決め部が電気接触部２１の下面２１ｂと当接することで端子２０の交差方向の移動が規制される。この場合、端子２０の電線接続部２３を軸とした回動は、治具によって規制すればよい。また、位置決め部を第２係止部のみを配設するものとする場合、位置決め部は、シール部材３０の第４辺３５の両端部から前方に突設し、その先端部から下方に延在する略Ｌ字型に構成する。この位置決め部が電気接触部２１の側面２１ａと当接することで端子２０の電線接続部２３を軸とした回動が規制される。この場合、端子２０の交差方向の移動は治具によって規制すればよい。
【符号の説明】
【００６１】
１，１Ａ  防水コネクタ
１０，１５  電線
２０    端子
２１  電気接触部
２２  屈曲部
２３  電線接続部
３０，１８０  シール部材
３１ａ，１８１ａ  電線挿通孔
３２，１８２  第１辺
３３，１８３  第２辺
３４，１８４  第３辺
３５，１８５  第４辺
３６，１８６  保持部
３７，１８７  位置決め部
３７ａ  底壁部（第１係止部）
３７ｂ  側壁部（第２係止部）
４０，１９０  第１シールカバー
４２ａ，１９２ａ  第１合わせ面
４３  第１電気接触部挿通孔
５０，２００  第２シールカバー
５２ａ，２０２ａ  第２合わせ面
６０，２１０  コネクタハウジング（筐体）
６２ａ  第２電気接触部挿通孔
７０，２２０  第１シールドシェル（筐体）
８０，２３０  第２シールドシェル（筐体）
９０，２４０  筐体
【図１】
2017004807.tif 000003
【図２】
2017004807.tif 000004
【図３】
2017004807.tif 000005
【図４】
2017004807.tif 000006
【図５】
2017004807.tif 000007
【図６】
2017004807.tif 000008
【図７】
2017004807.tif 000009
【図８】
2017004807.tif 000010
【図９】
2017004807.tif 000011
【図１０】
2017004807.tif 000012
【図１１】
2017004807.tif 000013
【図１２】
2017004807.tif 000014
【図１３】
2017004807.tif 000015